(57)【要約】【課題】遊技球を誘導する払出通路を、簡素な形状でありながら遊技球の衝撃による局部的な破損を抑えて長期間の使用に耐えるものとした弾球遊技機を提供する。【解決手段】払出通路３５を、遊技球が落下する落下通路３６と、落下通路３６の下端に繋がり遊技球が転動する転動通路３７とから構成する。落下通路３６を落下する遊技球は、滑走部４１及び衝撃吸収滑走部４２上を順次滑走し、そして衝撃吸収部４３に衝突する。滑走部４１を、衝撃吸収滑走部４２及び衝撃吸収部４３よりも耐磨耗性が低い部材で形成する。衝撃吸収滑走部４２及び衝撃吸収部４３が破損する前に、滑走部４１が徐々に磨耗するに従って滑走部４１から衝撃吸収部４３へと至る軌道が徐々に変化する。これにより、衝撃吸収部４３が遊技球を受ける部位も徐々に変化し、遊技球を受ける衝撃吸収部４３の局部的な負担は緩和される。【選択図】図３
2008035898.tif 000002
【特許請求の範囲】
【請求項１】
背面側の払出装置から払い出された遊技球を前面側の払出口まで誘導する払出通路を備えた弾球遊技機において、
前記払出通路は、
払出装置から払い出された遊技球が落下する落下通路と、
前記落下通路の下端に繋がり、前記落下通路内を落下した遊技球が転動する転動通路とから構成され、
前記落下通路と前記転動通路との合流部に設けられ、前記落下通路内を落下してきた遊技球を受けて衝撃を吸収する衝撃吸収部と、
前記落下通路内において前記衝撃吸収部よりも上流に設けられ、前記衝撃吸収部を構成する部材よりも耐磨耗性が低い部材で形成され、遊技球を前記衝撃吸収部に向けて滑走させる滑走部とを備えたことを特徴とする弾球遊技機。
【請求項２】
前記落下通路内において前記滑走部と前記衝撃吸収部との間に設けられ、落下してきた遊技球の衝撃を吸収し、前記衝撃吸収部に向けて遊技球を滑走させる衝撃吸収滑走部を備えたことを特徴とする請求項１記載の弾球遊技機。
【発明の詳細な説明】
【技術分野】
【０００１】
本発明は、パチンコ店などの遊技場に設置して使用されるパチンコ機などの弾球遊技機に関するものである。
【背景技術】
【０００２】
パチンコ店などの遊技場に設置して使用されるパチンコ機等の弾球遊技機は、遊技媒体である遊技球に一定の価値が与えられて、遊技を行って獲得した遊技球を種種の景品に交換することができる。
【０００３】
遊技球を払い出す払出装置は、パチンコ機の背面側に設けられているのが一般的である。払出装置は、遊技において入賞が発生すると作動され、入賞に応じた賞球を払い出す。払出装置から払い出された遊技球は、パチンコ機の背面側に設けられた払出通路内に落下し、パチンコ機の前面側に設けられた受け皿まで誘導される。遊技球を誘導する払出通路は、落下する遊技球の衝撃によって磨耗したり破損したりしてしまうため、払出通路の形状を横Ｕ字状やつづら折状にして遊技球の落下速度を抑えることが行われている（特許文献１参照）。
【特許文献１】特開平１０−３２３４３７号公報
【発明の開示】
【発明が解決しようとする課題】
【０００４】
しかしながら、払出通路の形状を複雑にすると製造コストが増加してしまったり、大きなスペースを占めるなどしてしまう。遊技球の衝撃を受ける部分に衝撃吸収部材を設ければ遊技球の落下速度を抑えなくとも良くなり、払出通路を簡素な形状とすることができるが、遊技球が局部的に衝突を繰り返すなどして衝撃吸収部材への負担が大きいと衝撃吸収部材が短期間で破損してしまうといった問題がある。
【０００５】
本発明は、上記問題を鑑みてなされたものであり、遊技球を誘導する払出通路を、簡素な形状でありながら遊技球の衝撃による局部的な破損を抑えて長期間の使用に耐えるものとした弾球遊技機を提供することを目的とする。
【課題を解決するための手段】
【０００６】
本発明の弾球遊技機は、背面側の払出装置から払い出された遊技球を前面側の払出口まで誘導する払出通路を備えたものであって、前記払出通路は、払出装置から払い出された遊技球が落下する落下通路と、前記落下通路の下端に繋がり、前記落下通路内を落下した遊技球が転動する転動通路とから構成され、前記落下通路と前記転動通路との合流部に設けられ、前記落下通路内を落下してきた遊技球を受けて衝撃を吸収する衝撃吸収部と、前記落下通路内において前記衝撃吸収部よりも上流に設けられ、前記衝撃吸収部を構成する部材よりも耐磨耗性が低い部材で形成され、遊技球を前記衝撃吸収部に向けて滑走させる滑走部とを備えたことを特徴とするものである。
【０００７】
また、前記落下通路内において前記滑走部と前記衝撃吸収部との間に設けられ、落下してきた遊技球の衝撃を吸収し、前記衝撃吸収部に向けて遊技球を滑走させる衝撃吸収滑走部を備えることが好適である。
【発明の効果】
【０００８】
本発明の弾球遊技機によれば、払出通路を、払出装置から払い出された遊技球が落下する落下通路と、落下通路の下端に繋がり、落下通路内を落下した遊技球が転動する転動通路とから構成し、落下通路と転動通路との合流部に、落下通路内を落下してきた遊技球を受けて衝撃を吸収する衝撃吸収部を設けることによって、払出通路を、遊技球の落下速度を抑えなくとも良い簡素な形状とすることができる。また、衝撃吸収部を構成する部材よりも耐磨耗性が低い部材で形成され、遊技球を衝撃吸収部に向けて滑走させる滑走部を落下通路内において衝撃吸収部よりも上流に設けることによって、滑走部から衝撃吸収部へと至る遊技球の軌道が滑走部の磨耗にしたがって徐々に変化するので、衝撃吸収部が遊技球を受ける部位も徐々に変化して衝撃吸収部材の遊技球を受ける部位の負担が緩和される。このように、遊技球を誘導する払出通路を、簡素な形状でありながら遊技球の衝撃による局部的な破損を抑えて長期間の使用に耐えるものとすることができる。
【０００９】
また、落下通路内において滑走部と衝撃吸収部との間に設けられ、落下してきた遊技球の衝撃を吸収し、衝撃吸収部に向けて遊技球を滑走させる衝撃吸収滑走部を備えることで、遊技球による衝撃吸収部への衝撃を緩和することができる。
【発明を実施するための最良の形態】
【００１０】
図１に示すように、本発明のパチンコ機（弾球遊技機）１０の遊技盤１１の盤面上には、図柄表示装置１２、始動入賞チャッカー１３、通常入賞チャッカー１４、アタッカ１５、アウト口１６等が設けられている。また、図示を省略した、障害釘や風車などが設けられている。なお、以下の記述において、パチンコ機１０の遊技盤１１の盤面が露呈している側を正面とする。
【００１１】
遊技球は球発射装置１７によって一個ずつ遊技盤１１の盤面上に打ち出される。盤面１１の盤面上に打ち出された遊技球は、始動入賞チャッカー１３、通常入賞チャッカー１４、アウト口１６のいずれかに入る。始動入賞チャッカー１３に遊技球が入ったときには図柄表示装置１２で図柄の変動表示及び停止表示が行われ、停止表示した図柄の組み合わせによって大当たりか否かが表示される。大当たりが得られるとアタッカ１５が複数回開放される。パチンコ機１０の前面には受け皿１８及び払出口１９が設けられており、始動入賞チャッカー１３、通常入賞チャッカー１４またはアタッカ１５のいずれかに遊技球が入賞すると、賞球が払出口１９から受け皿１８に払い出される。また、受け皿１８に貯留されている遊技球は１球ずつ球発射装置１７に供給される。
【００１２】
図２に示すように、パチンコ機１０の背面側の上部には、外部から遊技球が供給される貯留タンク３０が設けられている。貯留タンク３０の下方には流下樋３１が設けられている。流下樋３１は図の右方に向かって下るようにゆるやかに傾斜している。貯留タンク３０内の遊技球は流下樋３１に落下し、流下樋３１の傾斜に沿って流下する。流下樋３１から排出された遊技球は払出装置３２に向かって流下する。
【００１３】
払出装置３２は、払出動作時でない場合には遊技球を内部に滞留させ、払出動作時には図示しないモータの駆動によって滞留させていた遊技球を下方に払い出す。払出装置３２の下方には、払出通路ユニット３３が設けられており、払い出された遊技球は払出通路ユニット３３内に落下する。払出通路ユニット３３の内部には遊技球を誘導する払出通路３５（図３参照）が設けられており、遊技球は、払出通路３５によって払出口１９まで誘導され、払出口１９から受け皿１８に払い出される。なお、パチンコ機１０の背面側の下部には、払出装置３２の駆動制御を行う払い出し制御基板を基板ケースに収納した払出制御装置３４が設けられている。
【００１４】
図３及び図４に示すように、払出通路３５の、払出装置３２の直下の部分は遊技球が略鉛直に落下する落下通路３６となっており、落下通路３６の下端には転動通路３７が繋がっている。転動通路３７の床面３７ａは、落下通路３６の下端から払出口１９の方向へ下る、なだらかな斜面となっており、落下通路３６内を落下した遊技球は床面３７ａ上を転動して払出口１９へと至るようになっている。
【００１５】
落下通路３６の内部には、上端の開口４０から下方に行くに従って、滑走部４１、衝撃吸収滑走部４２及び衝撃吸収部４３が設けられている。払出装置３２から払い出された遊技球は、図中矢印で示すように、開口４０から落下通路３６の内部に入り、滑走部４１、衝撃吸収滑走部４２及び衝撃吸収部４３に順次衝突する。
【００１６】
衝撃吸収部４３は、落下通路３６と転動通路３７との合流部の左隅に設けられており、耐衝撃性及び耐磨耗性に優れた材料（例えば、ポリエチレン）で形成されている。図５に示すように、衝撃吸収部４３には、落下通路３６内を落下してきた遊技球を受けて衝撃を吸収し、転動通路３７へと反射する衝撃吸収面４３ａが設けられている。衝撃吸収面４３ａは、左方から右方に下るように傾斜しており、また、正面方向から見た断面が下方に凸となるようにやや湾曲している。なお、衝撃吸収部４３を、払出通路３５を形成する部材と別体とし、ネジ等で交換可能に取り付けるようにすると、払出通路３５、滑走部４１及び衝撃吸収滑走部４２とは別に衝撃吸収部４３のみを交換することができ、パチンコ機１０のメンテナンスに掛かるコストを節約することができる。
【００１７】
滑走部４１は、落下通路３６内において衝撃吸収部４３よりも上流となる位置に、奥側の内壁３６ａから落下通路３６内に突出するように設けられており、衝撃吸収部４３よりも耐磨耗性が低い材料（例えば、ＡＢＳ樹脂）で形成されている。図６に示すように、滑走部４１には、下方に行くに従って落下通路３６内に突出するように傾斜した滑走面４１ａが設けられており、落下通路３６内を落下してきた遊技球は滑走面４１ａに衝突した後、滑走面４１ａ上を衝撃吸収部４３に向けて滑走し、遊技球の軌道は滑走面４１ａに沿って変化させられる。また、滑走部４１は落下通路３６の内壁３６ａを形成する部材とは別体であり、内壁３６ａに設けられた凹部３６ｂに滑走部４１の背面側を嵌め込むことによって、内壁３６ａに交換可能に固着されている。滑走部４１を交換可能とすることで、払出通路３５、衝撃吸収滑走部４２及び衝撃吸収部４３とは別に滑走部４１のみを交換することができ、パチンコ機１０のメンテナンスに掛かるコストを節約することができる。なお、滑走部４１を内壁３６ａに取り付ける方法は、螺着等、適宜の方法を用いても良い。
【００１８】
衝撃吸収滑走部４２は、落下通路３６内において滑走部４１と衝撃吸収部４３との間となる位置に、右側の内壁３６ｂから落下通路３６内に突出するように設けられており、衝撃吸収部４３と同様に耐衝撃性及び耐磨耗性に優れた材料（例えば、ポリエチレン）で形成されている。衝撃吸収滑走部４２には、下方に行くに従って衝撃吸収部４３の方向へ突出するように傾斜した衝撃吸収滑走面４２ａが設けられており、衝撃吸収滑走面４２ａに衝突した遊技球の衝撃を吸収するとともに、衝撃吸収部４３に向けて遊技球を滑走させる。なお、衝撃吸収滑走部４２を、内壁３６ｂを形成する部材と別体とし、ネジ等で交換可能に取り付けるようにすると、払出通路３５、滑走部４１及び衝撃吸収部４３とは別に衝撃吸収滑走部４２のみを交換することができ、パチンコ機１０のメンテナンスに掛かるコストを節約することができる。
【００１９】
次に、上記構成による作用について説明する。落下通路３６を落下する遊技球は、滑走部４１及び衝撃吸収滑走部４２上を順次滑走し、そして衝撃吸収部４３に衝突する。初期状態において、滑走部４１、衝撃吸収滑走部４２及び衝撃吸収部４３のそれぞれにおける滑走面４１ａ、衝撃吸収滑走面４２ａ及び衝撃吸収面４３ａは、衝撃吸収面４３ａが遊技球を受ける部位が図７（Ａ）にハッチングで示す領域４５内となるように配置や傾斜が調整されている。
【００２０】
滑走面４１ａ、衝撃吸収滑走面４２ａ及び衝撃吸収面４３ａは、遊技が繰り返し行われることによって、賞球の払い出しが繰り返し行われると徐々に磨耗し、破損する。ところが、本実施形態に係わる発明によれば、滑走面４１ａは、衝撃吸収滑走面４２ａ及び衝撃吸収面４３ａよりも耐磨耗性が低い部材で形成されているため、衝撃吸収滑走面４２ａ及び衝撃吸収面４３ａよりも磨耗量が大きい。これにより、衝撃吸収滑走面４２ａ及び衝撃吸収面４３ａが破損する前に、滑走面４１ａが徐々に磨耗するに従って滑走面４１ａから衝撃吸収面４３ａへと至る軌道が徐々に変化する。これにより、衝撃吸収面４３ａが遊技球を受ける部位も、図７（Ｂ）にハッチングで示す領域４６にまで徐々に拡大するので、遊技球を受ける衝撃吸収面４３ａの局部的な負担は緩和される。このように、遊技球を誘導する払出通路３５を、簡素な形状でありながら遊技球の衝撃による局部的な磨耗を抑えて長期間の使用に耐えるものとすることができる。
【００２１】
なお、上記実施形態では、滑走部４１は落下通路３６の内壁３６ａを形成する部材とは別体であり、払出通路３５、衝撃吸収滑走部４２及び衝撃吸収部４３とは別に滑走部４１のみを交換することができたが、払出通路３５全体を衝撃吸収部４３よりも耐磨耗性が低い材料（例えば、ＡＢＳ樹脂）で形成し、滑走部４１を内壁３６ａの一部として形成しても良い。また、滑走面４１ａは一平面であったが、例えば平行に並べたリブ状の部材の端面によって構成しても良い。この場合の例を図８に示す。
【００２２】
図８に示すように、滑走部５０は、落下通路３６内において衝撃吸収部４３よりも上流となる位置に、内壁３６ａと一体に形成されている。滑走部５０の形状は、落下通路３６内に突出するように内壁３６ａ上に、遊技球の落下方向に沿うように形成したリブ状部分を複数並列させた形状であり、リブ状部分のそれぞれの前側の端面５０ａは、下方に行くに従って落下通路３６内に突出するように傾斜している。落下通路３６内を落下してきた遊技球は端面５０ａのいずれかに衝突した後、端面５０ａ上を衝撃吸収部４３に向けて滑走し、遊技球の軌道は端面５０ａに沿って変化させられる。
【００２３】
上記実施形態では、衝撃吸収滑走部４２は、滑走部４１と衝撃吸収部４３との間となる位置に１箇所設けられていたが、滑走部４１と衝撃吸収部４３との間に複数箇所設けても良い。この場合、遊技球による衝撃吸収部４３への衝撃を、滑走部４１を１箇所設ける場合よりも緩和して小さくすることができる。
【００２４】
上記実施形態では、衝撃吸収滑走面４２ａは一平面であったが、滑走部５０と同様に、例えば平行に並べたリブ状の部材の端面によって構成しても良い。
【図面の簡単な説明】
【００２５】
【図１】本発明を用いたパチンコ機の外観を示す斜視図である。
【図２】パチンコ機の背面側の外観を示す斜視図である。
【図３】正面方向から見た払出通路の構成を示す断面図である。
【図４】右側方から見た払出通路の構成を示す断面図である。
【図５】衝撃吸収部の外観を示す斜視図である。
【図６】滑走部の外観を示す斜視図である。
【図７】衝撃吸収面上の遊技球を受ける領域を示す説明図である。
【図８】図６と別形態の滑走部の外観を示す斜視図である。
【符号の説明】
【００２６】
１０  パチンコ機（弾球遊技機）
１９  払出口
３２  払出装置
３５  払出通路
３６  落下通路
３７  転動通路
４１，５０  滑走部
４２  衝撃吸収滑走部
４３  衝撃吸収部
【図１】
2008035898.tif 000003
【図２】
2008035898.tif 000004
【図３】
2008035898.tif 000005
【図４】
2008035898.tif 000006
【図５】
2008035898.tif 000007
【図６】
2008035898.tif 000008
【図７】
2008035898.tif 000009
【図８】
2008035898.tif 000010